(57)【要約】 【課題】  電極体とセパレータを巻回あるいは積層する際に、電極体がセパレータからはみ出すことを防止し、製造工程での短絡が起きない電気二重層コンデンサを提供すること。【解決手段】  矩形状の４辺に電極体厚みの１０％以上で電極体厚み以下の厚み方向の凸部６ａを設けたセパレータ６を用い、セパレータ６の平坦部に正極電極体８を配置し、巻回する。【選択図】  図１
2008171981.tif 000002
【特許請求の範囲】
【請求項１】
集電体上に電極層を形成した正極電極体および負極電極体にセパレータを介在させて巻回または積層してなるコンデンサ素子に電解液を含浸させ、前記正極電極体および負極電極体の各々に接続された端子を外部に引き出しながら外装ケースに収容した電気二重層コンデンサにおいて、前記セパレータの角部または縁辺部に厚み方向の凸部が形成されたことを特徴とする電気二重層コンデンサ。
【請求項２】
前記凸部の平坦部からの厚み方向の高さは、前記電極体の厚みの１０％以上であり前記電極体の厚み以下であることを特徴とする、請求項１記載の電気二重層コンデンサ。
【請求項３】
前記セパレータと電極体を円筒状に巻回してなることを特徴とする、請求項１または２記載の電気二重層コンデンサ。          
【発明の詳細な説明】
【技術分野】
【０００１】
本発明は巻回型または積層型の電気二重層コンデンサに関する。  
【背景技術】
【０００２】
図３に一般的な巻回型コンデンサの部分断面図を示す。そのケース部のみを断面で表示した。図４に巻回型コンデンサ素子を斜視図で示す。さらに図５には巻回型コンデンサ素子を巻回する様子を斜視図で示す。
【０００３】
図５のように集電体上に電極層を形成してなる正極電極体８および負極電極体９を、正極電極体８、セパレータ６、負極電極体９、セパレータ６の順に積層し、正極電極体８が内側になるように巻回してテープ４（図４参照）で固定したコンデンサ素子７を有底円筒型の金属からなるケース２（図３参照）に収容し、そのケース２の開口部をキャップ３により封口し、前記正極電極体８および負極電極体９に接続された端子５を外部に取り出し、スリーブ１で外装して巻回型コンデンサを作製する。
【０００４】
図５に基づいて巻回型コンデンサ素子を巻回する様子を詳しく説明する。正極電極体８および負極電極体９にそれぞれ端子５を取り付け、正極電極体８、セパレータ６、負極電極体９、セパレータ６の順に積層し、正極電極体８が内側になるように巻回することでコンデンサ素子７（図４参照）を形成する。このとき用いる電極体とセパレータを図６に斜視図で示す。このような電極体とセパレータを巻回する時に、正極電極体８あるいは負極電極体９が巻回方向に対して垂直または平行に移動しセパレータ６からはみ出すと、正極電極体８と負極電極体９が接触し、短絡原因となる。積層型コンデンサにおいても、正極電極体８あるいは負極電極体９がセパレータ６からはみ出すと、正極電極体８と負極電極体９が接触し、短絡原因となる。
【０００５】
例えば、特許文献１には、長尺状の分極性電極とセパレータを巻回してなる巻回型の電気二重層コンデンサが記載されている。この例においても、巻回する時に、正極電極体あるいは負極電極体が巻回方向に対して垂直または平行に移動しセパレータからはみ出すと、正極電極体と負極電極体が接触し、短絡原因となる。  
【０００６】
【特許文献１】特開２００３−３３８４３８号公報
【発明の開示】
【発明が解決しようとする課題】
【０００７】
すでに説明したように、従来、電極体とセパレータを巻回する時に、正極電極体あるいは負極電極体が巻回方向に対して垂直または平行に移動しセパレータからはみ出すと、正極電極体と負極電極体が接触し、短絡原因となっていた。積層型コンデンサにおいても、正極電極体あるいは負極電極体がセパレータからはみ出すと、正極電極体と負極電極体が接触し、短絡原因となっていた。
【０００８】
本発明は、電極体とセパレータを巻回あるいは積層する際に、電極体がセパレータからはみ出すことを防止し、そのはみ出しによる製造工程での短絡が起きない電気二重層コンデンサを提供することを目的としている。
【課題を解決するための手段】
【０００９】
上記課題を解決するために、セパレータの少なくとも２辺以上の縁辺部または２角以上の角部に電極体厚みの１０％以上の高さで厚み方向に突出し、かつ、電極体厚み以下の高さで厚み方向に突出する凸部を設け、巻回あるいは積層の際に電極体がセパレータからはみ出さないようにしたものである。
【００１０】
すなわち、本発明の電気二重層コンデンサは、集電体上に電極層を形成した正極電極体および負極電極体にセパレータを介在させ巻回または積層してなるコンデンサ素子に電解液を含浸させ、前記正極電極体および負極電極体の各々に接続された端子を外部に引き出しながら外装ケースに収容した電気二重層コンデンサにおいて、前記セパレータの角部または縁辺部に厚み方向の凸部が形成されたことを特徴とする。
【００１１】
前記凸部の平坦部からの厚み方向の高さは、前記電極体の厚みの１０％以上であり前記電極体の厚み以下にすることができる。
【００１２】
前記セパレータと電極体を円筒状に巻回して、コンデンサ素子を形成することができる。
【発明の効果】
【００１３】
本発明により、電極体とセパレータを巻回あるいは積層する際に、電極体がセパレータからはみ出すことを防止できるので、製造工程での短絡が起きない電気二重層コンデンサを提供できる。
【発明を実施するための最良の形態】
【００１４】
図１は、本発明の実施の形態１に関わる電極体とセパレータを示す斜視図である。セパレータ６の４辺が凸部６ａを有しており、セパレータ６の凸部６ａ内側の平坦部に正極電極体８を重ねて配置する。セパレータの凸部は電極体厚みの１０％以上の厚みがあり、かつ、電極体厚み以下の厚みである。図５のように、正極電極体８、セパレータ６、負極電極体９、セパレータ６の順に積層し、正極電極体８が内側になるように円筒状に巻回することで、図４のようなコンデンサ素子７を形成する。本発明により、電極体とセパレータを巻回あるいは積層する際に、電極体がセパレータからはみ出さず、製造工程での短絡が起きない電気二重層コンデンサを提供することが可能になる。
【００１５】
図２は、本発明の実施の形態２に関わる電極体とセパレータを示す斜視図である。セパレータ６の４角が凸部６ｂを有しており、セパレータ６の平坦部に正極電極体８を重ねて配置する。セパレータの凸部６ｂの平坦部からの高さは電極体厚みの１０％以上であり、かつ、電極体厚み以下である。正極電極体８、セパレータ６、負極電極体９、セパレータ６の順に積層し、正極電極体８が内側になるように巻回することでコンデンサ素子７を形成する。本発明では、電極体とセパレータを巻回あるいは積層する際に、電極体がセパレータからはみ出さず、製造工程での短絡が起きない電気二重層コンデンサを提供することが可能になる。 
【００１６】
ところで、セパレータの凸部の平坦部からの高さが電極体厚みの１０％未満の場合、その凸部を乗り越えて、セパレータが移動することがある。また、セパレータの凸部の平坦部からの高さが電極体厚みを超えると、巻回あるいは積層において層間のずれが発生し易くなり、好ましくない。
【００１７】
上記実施の形態１では、４辺に凸部がある場合について説明したが、少なくとも２辺に凸部があれば、電極体のセパレータからのはみ出しを防止する効果が認められる。
【００１８】
上記実施の形態２では、４角の角部に凸部がある場合について説明したが、対角の２角または３角の角部に凸部があれば、電極体のセパレータからのはみ出しを防止する効果が認められる。  
【図面の簡単な説明】
【００１９】
【図１】本発明の実施の形態１での電極体とセパレータを示す斜視図。
【図２】本発明の実施の形態２での電極体とセパレータを示す斜視図。
【図３】一般的な巻回型コンデンサの部分断面図。
【図４】巻回型コンデンサ素子を示す斜視図。
【図５】巻回型コンデンサ素子を巻回する様子を示す斜視図。
【図６】従来の電極体とセパレータを示す斜視図。
【符号の説明】
【００２０】
１  スリーブ
２  ケース
３  キャップ
４  テープ
５  端子
６  セパレータ
６ａ  凸部
７  コンデンサ素子
８  正極電極体
９  負極電極体
【図１】
2008171981.tif 000003
【図２】
2008171981.tif 000004
【図３】
2008171981.tif 000005
【図４】
2008171981.tif 000006
【図５】
2008171981.tif 000007
【図６】
2008171981.tif 000008